(57)【要約】【課題】  ブラシにおいて、芯材を挟んだブラシ単体の２つ折り部を回転軸の取付溝に容易に挿着可能にするとともに、抜け止めの確実を図ること。【解決手段】  回転軸１１の外周の周方向複数位置に、狭幅の開口部１３をもつ取付溝１２を設け、ブラシ単体２１の２つ折り部２１Ａに芯材２２を挟み込み、該芯材２２をブラシ単体２１の２つ折り部２１Ａとともに回転軸１１の取付溝に挿着するブラシ１０において、回転軸１１の取付溝１２に挿着した芯材２２の端部に係合可能にされ、該芯材２２を取付溝１２から抜け止めするハブ３０を回転軸１１の端面に取付けたもの。【選択図】  図４
2005170072.tif 000002
【特許請求の範囲】
【請求項１】
回転軸の外周の周方向複数位置に、狭幅の開口部をもつ取付溝を設け、
ブラシ単体の２つ折り部に芯材を挟み込み、該芯材をブラシ単体の２つ折り部とともに回転軸の取付溝に挿着するブラシにおいて、
回転軸の取付溝に挿着した芯材の端部に係合可能にされ、該芯材を取付溝から抜け止めするハブを回転軸の端面に取付けたことを特徴とするブラシ。
【請求項２】
前記ハブが環状溝を有し、回転軸の外周の周方向に配置された複数の芯材の端部のそれぞれを該環状溝に納め、各芯材の端部を回転軸の軸方向と半径方向で該環状溝の溝面に係合可能にした請求項１に記載のブラシ。
【発明の詳細な説明】
【技術分野】
【０００１】
本発明は洗車機等に用いて好適なブラシに関する。
【背景技術】
【０００２】
洗車ブラシとして、特許文献１に記載の如く、回転軸の外周の周方向複数位置に、狭幅の開口部をもつ取付溝を設け、ブラシ単体の２つ折り部に芯材を挟み込み、該芯材をブラシ単体の２つ折り部とともに回転軸の外周に設けた各取付溝の開口部から該取付溝に嵌合してなるものがある。
【特許文献１】実公平2-27773（１頁、第３図）
【発明の開示】
【発明が解決しようとする課題】
【０００３】
特許文献１の洗車ブラシでは、ブラシ単体の２つ折り部を芯材とともに回転軸の取付溝に嵌合したものであり、嵌合強度の強化を図る場合には嵌合作業に困難を伴い、嵌合作業の容易化を図る場合には嵌合強度が弱めになるという不都合がある。
【０００４】
本発明の課題は、ブラシにおいて、芯材を挟んだブラシ単体の２つ折り部を回転軸の取付溝に容易に挿着可能にするとともに、抜け止めの確実を図ることにある。
【課題を解決するための手段】
【０００５】
請求項１の発明は、回転軸の外周の周方向複数位置に、狭幅の開口部をもつ取付溝を設け、ブラシ単体の２つ折り部に芯材を挟み込み、該芯材をブラシ単体の２つ折り部とともに回転軸の取付溝に挿着するブラシにおいて、回転軸の取付溝に挿着した芯材の端部に係合可能にされ、該芯材を取付溝から抜け止めするハブを回転軸の端面に取付けたものである。
【０００６】
請求項２の発明は、請求項１の発明において更に、前記ハブが環状溝を有し、回転軸の外周の周方向に配置された複数の芯材の端部のそれぞれを該環状溝に納め、各芯材の端部を回転軸の軸方向と半径方向で該環状溝の溝面に係合可能にしたものである。
【発明の効果】
【０００７】
（請求項１）
(a)ブラシ単体の２つ折り部に挟んだ芯材の抜け止めハブを回転軸の端面に取付けたから、ブラシ単体の２つ折り部及び芯材を回転軸の取付溝に容易に挿着可能にするとともに、抜け止めの確実を図ることができる。
【０００８】
（請求項２）
(b)回転軸の端面に取付けられる抜け止めハブの環状溝に複数の芯材の端部のそれぞれを納めたから、各芯材を回転軸の軸方向と半径方向で、簡易に、取付溝から抜け止めできる。
【発明を実施するための最良の形態】
【０００９】
図１は実施例１の洗車ブラシを示す正面図、図２は図１のII−II線に沿う断面図、図３は図１のIII部詳細図、図４は図１のIV部詳細図、図５は回転軸を示す断面図、図６はハブを示し、（Ａ）は断面図、（Ｂ）は端面図、図７は実施例２の洗車ブラシを示す正面図、図８は図７のVIII−VIII線に沿う断面図、図９は図７のIX部詳細図、図１０はハブを示し、（Ａ）は断面図、（Ｂ）は端面図である。
【実施例１】
【００１０】
（実施例１）（図１〜図６）
洗車ブラシ１０は、洗車機のトップブラシ、サイドブラシ等として用いられるものであり、図１に示す如く、アルミ合金等からなる中空回転軸１１の外周に多数のブラシ単体２１を取付けて構成される。ブラシ単体２１は、エチレンビニルアセテート（ＥＶＡ）等のスポンジ状プラスチック、ポリプロピレンやポリエチレン等のプラスチック、布、又は撚り糸状繊維等からなる。本実施形態のブラシ単体２１は、１枚又は２枚以上重ね状にした可撓帯板状をなすが、可撓線棒状をなすものでも良い。
【００１１】
回転軸１１は、図２、図５に示す如く、円筒をなし、外周の周方向複数位置に、狭幅の開口部１３をもち、かつ軸方向に延在するストレート状取付溝１２を設けている。取付溝１２は、その両端面に開放しているが、少なくとも一端面に開放していれば良い。取付溝１２の溝面は軸方向に直交する横断面の形状をＵ字状にし、開口部１３は取付溝１２のＵ字状溝面の両端に設けられた、溝内方に突き出る突部１３Ａにより形成される。突部１３Ａは、取付溝１２の溝面の軸方向に直交する横断面で、先端部を丸味状にし、洗浄作業中に突部１３Ａに対して揺れ動くブラシ単体２１を傷付けない。
【００１２】
ブラシ単体２１は、図１、図２に示す如く、２つ折り状にされ、２つ折り部２１Ａにおいて芯材２２を挟み込み、２つ折り部２１Ａの芯材２２を挟む全幅を芯材２２の存在によって取付溝１２の開口部１３の幅より十分に広幅にした状態で、押し込み具により、芯材２２をブラシ単体２１の２つ折り部２１Ａとともに回転軸１１の外周に設けた取付溝１２の開口部１３から回転軸１１の直径方向に押し込み、取付溝１２に挿着する。本実施例では、芯材２２としてアルミパイプを用いるが、芯材２２は中実丸棒、中空丸棒、角棒等を広く採用できる。
【００１３】
回転軸１１において、取付溝１２が開放する両端面には、図１〜図４に示す如く、ブラシ単体２１及び芯材２２のための抜け止めハブ３０が取付けられる。抜け止めハブ３０は、図６に示す如く、環状体からなり、ハブ本体３１に同軸をなす軸３２を有する。
【００１４】
抜け止めハブ３０は、図２〜図４に示す如く、回転軸１１の内径に軸３２を差し込み、回転軸１１の端面にハブ本体３１の内側端面を衝合し、回転軸１１の相隣る取付溝１２、１２の間の凹条部１４にコマ１５を介して挿通されるボルト１６と、軸３２との締結により、回転軸１１に固定される。
【００１５】
抜け止めハブ３０は、回転軸１１の端面に衝合される内側端面に環状溝３３を有する。回転軸１１に固定されたハブ３０は、図４に示す如く、回転軸１１の各取付溝１２にブラシ単体２１の２つ折り部２１Ａとともに挿着された芯材２２の端部のそれぞれを環状溝３３に納め、各芯材２２のブラシ単体２１から横方向に突出している端部を回転軸１１の軸方向と半径方向で環状溝３３の溝底面と溝側面に係合可能にし、各芯材２２を取付溝１２から抜け止め可能にする。
【００１６】
洗車ブラシ１０にあっては、洗車機のブラシ駆動軸に設けられるエンドプレートに挿通されるボルトを、抜け止めハブ３０のハブ本体３１の外側端面に設けたねじ孔３４に螺着することにより、使用に供される。
【００１７】
本実施例によれば以下の作用効果を奏する。
(a)ブラシ単体２１の２つ折り部２１Ａに挟んだ芯材２２の抜け止めハブ３０を回転軸１１の端面に取付けたから、ブラシ単体２１の２つ折り部２１Ａ及び芯材２２を回転軸１１の取付溝１２に容易に挿着可能にするとともに、抜け止めの確実を図ることができる。
【００１８】
(b)回転軸１１の端面に取付けられる抜け止めハブ３０の環状溝３３に複数の芯材２２の端部のそれぞれを納めたから、各芯材２２を回転軸１１の軸方向と半径方向で、簡易に、取付溝１２から抜け止めできる。
【００１９】
（実施例２）（図７〜図１０）
実施例２が実施例１と実質的に異なる点は、図７〜図１０に示す如く、回転軸１１の取付溝１２を中心軸まわりにてスパイラル状に延在させたことと、抜け止めハブ３０のハブ本体３１に設けたボルト挿通孔３５に挿通したボルト３６を回転軸１１の端面に螺着することにより、ハブ３０を回転軸１１に固定したことにある。回転軸１１における取付溝１２のスパイラル化は、回転軸１１の押出加工時に回転軸１１をねじってスパイラル状の取付溝１２を同時形成する方法、又はストレート状取付溝１２が形成済の回転軸１１をねじる方法等による。
【００２０】
従って、実施例２の洗車ブラシ１０にあっても、実施例１におけると同様の作用効果を奏する。
【００２１】
尚、実施例２の洗車ブラシ１０では、回転軸１１の取付溝１２に挿着されるブラシ単体２１が、回転軸１１の中心軸まわりにスパイラル状をなすから、取付溝１２の延在方向に沿うブラシ単体２１の先端面が、その延在方向（ブラシ単体２１の幅方向）の一端側から他端側に向けて順に被洗浄面（車両表面）に当たるものになる。これにより、ブラシ単体２１のブラシエッジによる被洗浄面の汚れ掻き取り効果と、ブラシ単体２１の先端面が一気に車両表面に当たらないことによる洗車騒音静粛効果を得ることができる。回転軸１１の軸方向に対し取付溝１２、ブラシ単体２１の延在方向がなすスパイラル角（図７のα）の好適値は、10度以上、45度以下である。10度未満では上述の効果はなく、45度超えでは取付溝１２に挿着するための芯材２２の曲げ変形量が過大になって回転軸１１へのブラシ単体２１の植毛作業が困難になる。
【００２２】
以上、本発明の実施の形態を図面により詳述したが、本発明の具体的な構成はこの実施の形態に限られるものではなく、本発明の要旨を逸脱しない範囲の設計の変更等があっても本発明に含まれる。
【図面の簡単な説明】
【００２３】
【図１】図１は実施例１の洗車ブラシを示す正面図である。
【図２】図２は図１のII−II線に沿う断面図である。
【図３】図３は図１のIII部詳細図である。
【図４】図４は図１のIV部詳細図である。
【図５】図５は回転軸を示す断面図である。
【図６】図６はハブを示し、（Ａ）は断面図、（Ｂ）は端面図である。
【図７】図７は実施例２の洗車ブラシを示す正面図である。
【図８】図８は図７のVIII−VIII線に沿う断面図である。
【図９】図９は図７のIX部詳細図である。
【図１０】図１０はハブを示し、（Ａ）は断面図、（Ｂ）は端面図である。
【符号の説明】
【００２４】
１０  ブラシ
１１  回転軸
１２  取付溝
１３  開口部
２１  ブラシ単体
２１Ａ  ２つ折り部
２２  芯材
３０  ハブ
３３  環状溝
【図１】
2005170072.tif 000003
【図２】
2005170072.tif 000004
【図３】
2005170072.tif 000005
【図４】
2005170072.tif 000006
【図５】
2005170072.tif 000007
【図６】
2005170072.tif 000008
【図７】
2005170072.tif 000009
【図８】
2005170072.tif 000010
【図９】
2005170072.tif 000011
【図１０】
2005170072.tif 000012